(57)【要約】【課題】簡易な構成でサイドカーソルの幅方向への移動を防止できる給紙カセットを提供する。【解決手段】給紙カセット３は、上面に開口１１ａを有し、所定の搬送方向に沿って搬送される用紙が収容される用紙収容部１１と、用紙収容部１１に設けられて、開口１１ａの一部を開閉するカセットカバー３１と、用紙収容部１１の底面から搬送方向に沿って立設された規制部４１を有し、搬送方向と直交する幅方向にスライド可能に設けられて、規制部４１によって用紙の幅方向の位置を整合するサイドカーソル１４と、を備える。カセットカバー３１とサイドカーソル１４とには、カセットカバー３１が開口１１ａの一部を閉止した際に互いに係合するカバー側係合部３３とカーソル側係合部４５、４６とがそれぞれ設けられている。【選択図】図９
2017197325.tif 000002
【特許請求の範囲】
【請求項１】
上面に開口を有し、所定の搬送方向に沿って搬送される用紙が収容される用紙収容部と、
該用紙収容部に設けられて、前記開口の一部を開閉するカセットカバーと、
前記用紙収容部の底面から前記搬送方向に沿って立設された規制部を有し、前記搬送方向と直交する幅方向にスライド可能に設けられて、前記規制部によって前記用紙の幅方向の位置を整合するサイドカーソルと、を備える給紙カセットであって、
前記カセットカバーと前記サイドカーソルとには、前記カセットカバーが前記開口の一部を閉止した際に互いに係合するカバー側係合部とカーソル側係合部とがそれぞれ設けられていることを特徴とする給紙カセット。
【請求項２】
前記カバー側係合部は、前記幅方向の複数箇所に設けられていることを特徴とする請求項１に記載の給紙カセット。
【請求項３】
前記用紙収容部は、前記搬送方向に沿って伸長状態と収縮状態とに伸縮可能であり、
前記カーソル側係合部は、前記規制板の上面において前記搬送方向前方側と前記搬送方向後方側にそれぞれ配置される第１固定ピンと第２固定ピンとを有し、
前記カバー側係合部は、前記搬送方向に沿って延びて、前記第１固定ピンと前記第２固定ピンが係合可能な溝部を有し、
前記収縮状態では、前記カセットカバーが前記開口の一部を閉止した際に、前記第１固定ピンと前記第２固定ピンとが前記溝部に係合し、
前記伸長状態では、前記カセットカバーが前記開口の一部を閉止した際に、前記第２固定ピンが前記溝部に係合することを特徴とする請求項１又は２に記載の給紙カセット。
【請求項４】
前記第１固定ピンと前記第２固定ピンは、それぞれ上下方向に付勢される付勢部材を有し、該付勢部材で付勢されることで前記溝部に係合することを特徴とする請求項３に記載の給紙カセット。
【請求項５】
前記用紙収容部は、本体部と、該本体部に前記搬送方向とは反対方向に引き出し可能に連結する可動部と、を有し、
前記カセットカバーは、前記可動部に回動可能に設けられていることを特徴とする請求項１〜４のいずれか１項に記載の給紙カセット。
【請求項６】
請求項１〜５のいずれか１項に記載の給紙カセットを備えていることを特徴とする画像形成装置。
【発明の詳細な説明】
【技術分野】
【０００１】
本発明は、画像形成される用紙を収容する給紙カセットを備えた画像形成装置に関する。
【背景技術】
【０００２】
複合機やプリンター等の画像形成装置において、画像が形成される用紙は、装置本体に着脱可能に設けられる給紙カセットに収容されて、画像形成部に向けて搬送される。このような給紙カセットには、装置本体よりも長いサイズの用紙を収容するために、搬送方向とは反対方向に本体部から引き出し可能な可動部が設けられる場合がある。可動部は、装置本体から外側に引き出されるので、上面開口からの異物の侵入を防ぐために、カセットカバーで上面開口が開閉されるようになっている。
【０００３】
一方で、給紙カセットには、用紙の幅方向中心が、形成される画像の幅方向中心と一致するように、用紙の幅方向の位置を整合するサイドカーソルが、幅方向にスライド可能に設けられている。
【０００４】
このようなサイドカーソルが設けられた給紙カセットを装置本体に着脱する際、用紙の重量によってはサイドカーソルに大きな荷重がかかり、サイドカーソルの位置がずれることがある。すると、用紙の幅方向の位置がずれ、適正な位置に画像が形成されないような画像不具合が発生する。このようなサイドカーソルの位置ずれを防止するために、特許文献１には、サイドカーソルを所定の位置に移動不能に固定するロック機構を設けた給紙カセットが記載されている。
【先行技術文献】
【特許文献】
【０００５】
【特許文献１】特開２００５−１４５７０６号公報
【発明の概要】
【発明が解決しようとする課題】
【０００６】
しかしながら上記特許文献１に記載されている給紙カセットにおいては、用紙の幅が変わる度にロック機構を操作する必要があるので、作業性が低下する。また、複数の規定サイズに合わせてロック機構を設ける必要があるので、給紙カセットの構成が複雑化する。
【０００７】
そこで本発明は上記事情を考慮し、簡易な構成でサイドカーソルの幅方向への移動を防止できる給紙カセット及びこの給紙カセットを備えた画像形成装置を提供することを目的とする。
【課題を解決するための手段】
【０００８】
上記目的を達成するため、本発明の給紙カセットは、上面に開口を有し、所定の搬送方向に沿って搬送される用紙が収容される用紙収容部と、該用紙収容部に設けられて、前記開口の一部を開閉するカセットカバーと、前記用紙収容部の底面から前記搬送方向に沿って立設された規制部を有し、前記搬送方向と直交する幅方向にスライド可能に設けられて、前記規制部によって前記用紙の幅方向の位置を整合するサイドカーソルと、を備える給紙カセットであって、前記カセットカバーと前記サイドカーソルとには、前記カセットカバーが前記開口の一部を閉止した際に互いに係合するカバー側係合部とカーソル側係合部とがそれぞれ設けられていることを特徴とする。
【０００９】
このような構成を採用することにより、カセットカバーで用紙収容部の上面開口を閉止することで、サイドカーソルの幅方向への移動を規制することができる。したがって、用紙収容部に収容される用紙からサイドカバーに荷重がかかった際にも、サイドカーソルの位置が維持されるので、画像の位置ずれ等の画像不良を防止できる。また、カセットカバーで用紙収容部の上面開口を閉止すると、カセットカバーとサイドカーソルとが自動的に係合するので、サイドカーソルの幅方向への移動を規制するための作業性が良い。
【００１０】
本発明の給紙カセットにおいて、前記カバー側係合部は、前記幅方向の複数箇所に設けられていることを特徴としても良い。
【００１１】
このような構成を採用することにより、使用頻度の高い複数のサイズに適用することができる。
【００１２】
本発明の給紙カセットにおいて、前記用紙収容部は、前記搬送方向に沿って伸長状態と収縮状態とに伸縮可能であり、前記カーソル側係合部は、前記規制板の上面において前記搬送方向前方側と前記搬送方向後方側にそれぞれ配置される第１固定ピンと第２固定ピンとを有し、前記カバー側係合部は、前記搬送方向に沿って延びて、前記第１固定ピンと前記第２固定ピンが係合可能な溝部を有し、前記収縮状態では、前記カセットカバーが前記開口の一部を閉止した際に、前記第１固定ピンと前記第２固定ピンとが前記溝部に係合し、前記伸長状態では、前記カセットカバーが前記開口の一部を閉止した際に、前記第２固定ピンが前記溝部に係合することを特徴としても良い。
【００１３】
このような構成を採用することにより、長尺の用紙に対応して用紙収容部が伸長状態に伸縮した場合でも、カセットカバーによってサイドカーソルの幅方向への移動を規制することができる。
【００１４】
本発明の給紙カセットにおいて、前記第１固定ピンと前記第２固定ピンは、それぞれ上下方向に付勢される付勢部材を有し、該付勢部材で付勢されることで前記溝部に係合することを特徴としても良い。
【００１５】
このような構成を採用することにより、第１固定ピンと第２固定ピンとは、カセットカバーで押し下げられると付勢部材の付勢力に抗して後退するので、第１固定ピンと第２固定ピンと溝部との位置が幅方向において異なっている場合でも、カセットカバーで用紙収容部の上面開口を閉止することができる。
【００１６】
本発明において、前記用紙収容部は、本体部と、該本体部に前記搬送方向とは反対方向に引き出し可能に連結する可動部と、を有し、前記カセットカバーは、前記可動部に回動可能に設けられていることを特徴としても良い。
【００１７】
このような構成を採用することにより、伸長状態において可動部の上面の開口を閉止することができる。
【００１８】
本発明の画像形成装置は、上記のいずれかに記載の給紙カセットを備えていることを特徴とする。
【発明の効果】
【００１９】
本発明によれば、カセットカバーで用紙収容部を閉止することで、カセットカバーとサイドカーソルとが係合するので、サイドカーソルの幅方向への移動を簡易な構成で規制することができる。
【図面の簡単な説明】
【００２０】
【図１】本発明の一実施形態に係るプリンターの内部構造を模式的に示す正面図である。
【図２】本発明の一実施形態に係る給紙カセットの収縮状態を示す斜視図である。
【図３】本発明の一実施形態に係る給紙カセットの伸長状態を示す斜視図である。
【図４】本発明の一実施形態に係る給紙カセットの平面図である。
【図５】本発明の一実施形態に係る給紙カセットの正面断面図である。
【図６】本発明の一実施形態に係る給紙カセットのカセットカバーを示す斜視図である。
【図７】本発明の一実施形態に係る給紙カセットの右側のサイドカーソルを示す斜視図である。
【図８】本発明の一実施形態に係る給紙カセットの固定ピンを示す側面図である。
【図９】本発明の一実施形態に係る給紙カセットにおいて、収縮状態におけるカセットカバーとサイドカーソルとを示す側断面図である。
【図１０】本発明の一実施形態に係る給紙カセットにおいて、伸長状態におけるカセットカバーとサイドカーソルとを示す側断面図である。
【図１１】本発明の一実施形態に係る給紙カセットにおいて、溝部に係合した固定ピンを示す側面図である。
【図１２】本発明の一実施形態に係る給紙カセットにおいて、カセットカバーに当接した固定ピンを示す側面図である。
【図１３】本発明の一実施形態に係る給紙カセットにおいて、カセットカバーの変形例を示す側面図である。
【発明を実施するための形態】
【００２１】
以下、図面を参照しつつ、本発明の一実施形態に係る給紙カセット及び画像形成装置について説明する。
【００２２】
まず、図１を参照して、画像形成装置としてのプリンター１の全体の構成について説明する。図１は、本発明の一実施形態に係るプリンターの概略を示す模式図であり、以下の説明では、図１に示す前後方向を、プリンター１の前後方向とし、左右の向きはプリンター１を正面から見た方向を基準とする。
【００２３】
プリンター１には、用紙Ｓを収容する給紙カセット３と、給紙カセット３の前端部に設けられて、給紙カセット３から用紙Ｓを送給する給紙装置４と、用紙Ｓにトナー像を形成する画像形成部５と、トナー像を用紙Ｓに定着する定着装置６と、用紙Ｓを排紙トレイ７に排出する排出装置８と、が設けられている。さらに、プリンター１には、給紙装置４から画像形成部５、定着装置６を通って排出装置７に向かって用紙Ｓを搬送する搬送経路９が形成されている。
【００２４】
給紙カセット３から給紙装置４によって前方に送り出された用紙Ｓは搬送経路９に沿って搬送され、画像形成部５においてトナー像が形成された後、定着装置６に搬送されてトナー像が用紙Ｓに定着される。トナー像が定着された用紙Ｓは搬送経路９に沿って排出装置８に搬送されて、排紙トレイ７に排出される。
【００２５】
次に、図２〜図５を参照して給紙カセット３について説明する。図２は収縮状態における給紙カセットを示す斜視図、図３は伸長状態における給紙カセットを示す斜視図、図４は給紙カセットの平面図、図５は給紙カセットの断面図である。なお、図４はカセットカバーが図示省略されている。
【００２６】
給紙カセット３は、用紙が収容される用紙収容部１１と、用紙収容部１１内において用紙が載置される昇降板１２と、用紙の搬送方向にスライド可能に支持されるエンドカーソル１３と、用紙の幅方向にスライド可能に支持される左右一対のサイドカーソル１４と、を備えている。
【００２７】
図２や図３に示されるように、用紙収容部１１は、上面に開口１１ａを有する浅い箱形状であり、本体部２１と、本体部２１に対して、用紙Ｓの搬送方向と反対の後方に引き出し可能に連結される可動部２２と、を備えている。本体部２１は、底板２１ａと、左右側板２１ｂと、フロントカバー２１ｃと、を有している。底板２１ａの前端部には、幅方向に沿った平行な２つのガイド凹部（図示省略）が形成されている。左右側板２１ｂの内面には、搬送方向における中央よりもやや後寄りの位置に、軸支ピン２３がそれぞれ立設されている。さらに、図５に示されるように、左右側板２１ｂの内面には、高さ方向における中央付近に、搬送方向に沿ったガイドレール部２４がそれぞれ形成されている。また、左右側板２１ｂの上縁には、外方向に直角に屈曲した段部２１ｄが形成されている。
【００２８】
可動部２２は、底板２２ａと、左右側板２２ｂと、後板２２ｃと、を有している。左右側板２２ｂの内面後端部には、搬送方向と直交する用紙幅方向の内側に向けて軸支ピン２６がそれぞれ突設されている。
【００２９】
可動部２２の底板２２ａと左右側板２２ｂは、本体部２１の底板２１ａと左右側板２１ｂの内側にそれぞれ重ねられて、図５に示されるように、左右側板２２ｂの上縁が、本体部２１の左右側板２１ｂに形成されたガイドレール部２４にそれぞれ係合している。これにより、可動部２２は、ガイドレール部２４に沿って本体部２１に対して前後方向にスライド可能に連結している。
【００３０】
このように、用紙収容部１１は、可動部２２が本体部２１に収容される収縮状態（図２参照）と、可動部２２が本体部２１に対して後方に引き出された伸長した伸長状態（図３参照）と、の間を伸縮する。これにより、画像形成される用紙Ｓの搬送方向長さに応じて、用紙収容部１１の搬送方向長さを調整できるので、規定の長さの用紙に加えて、長尺の用紙も収容可能となっている。なお、可動部２２と本体部２１とには、収縮状態及び伸長状態において、可動部２２の本体部２１に対するスライドを規制する規制部（図示省略）がそれぞれ設けられている。また、伸長状態の給紙カセット３がプリンター１に装着されると、図１の二点鎖線で示されるように、可動部２２はプリンターの背面から後方に突き出す。
【００３１】
可動部２２は、用紙収容部１１の開口１１ａの後端部を開閉するカセットカバー３１を備えている。カセットカバー３１について、図６を参照して説明する。図６はカセットカバーを示す斜視図である。カセットカバー３１は、可動部２２の開口を少なくとも覆う寸法の天板３１ａと、天板３１ａの左右側縁から垂下する左右側板３１ｂと、天板３１ａの後縁から垂下する後板３１ｃと、を有している。
【００３２】
天板３１ａは、搬送方向における長さが可動部２２の長さよりも長く形成されている。天板３１ａの裏面右端部には、カバー側係合部としての３本の溝部３３が、搬送方向に沿って平行に形成されている。各溝部３３は断面矩形状を有している。３本の溝部３３は、給紙カセット３に規定サイズ（例えば、Ａ４横、Ｂ５横、Ａ４縦）の用紙が収容された際の各用紙の右側端縁に対応する位置にそれぞれ形成されている。また、天板３１ａには、補強用の凹部及びリブが形成されている。左右側板３１ｂの下縁には、外方向に直角に屈曲した縁部３１ｄが形成されている。
【００３３】
また、カセットカバー３１の後左隅と後右隅とには、下方に延びる左右の脚部３５が形成されている。左右の脚部３５の下端部には、軸孔３５ａがそれぞれ形成されている。各軸孔３５ａは、可動部２２の左右側板２２ｂに突設された軸支ピン２６にそれぞれ挿通されている。これにより、カセットカバー３１は、軸支ピン２６を中心として回動して、用紙収容部１１の開口１１ａの後端部を開閉する。用紙収容部１１の開口１１ａの後端部がカセットカバー３１で閉止されると、カセットカバー３１の左右側板３１ｂは、本体部２１及び可動部２２の左右側板２１ｂ、２２ｂの外側に被さって、各縁部３１ｄが対応する段部２１ｄに当接し、カセットカバー３１の後板３１ｃは、可動部２２の後板２２ｃの外側に被さる。これにより、天板３１ａが開口１１ａの後端部を閉止する。このように、伸長状態に伸縮させた際にプリンター１の背面から後方に突き出す用紙収容部１１がカセットカバー３１によって覆われて、開口１１ａからの異物の侵入を防止できるようになっている。
【００３４】
再度図２〜図５を参照して説明する。昇降板１２は、搬送方向上流側（後端部側）の部分が本体部２１の左右側板２１ｂに設けられた軸支ピン２３に回動可能に支持されている。昇降板１２は、昇降機構（図示省略）によって搬送方向下流側（前端部側）の部分が給紙装置４（図１参照）に向かって上方に傾斜する。
【００３５】
エンドカーソル１３は、可動部２２の底板２２ａ上に、搬送方向にスライド可能に支持されている。エンドカーソル１３をスライドさせて用紙の後端縁に当接させることで、搬送方向における用紙の位置を整合する。
【００３６】
左右一対のサイドカーソル１４について、図７及び図８を参照して説明する。図７は右側のサイドカーソルを示す斜視図であり、図８は固定ピンを示す側面図である。
【００３７】
左右一対のサイドカーソル１４は、搬送方向と平行に設けられる左右カーソル板４１と、左右カーソル板４１の下縁の前端部から幅方向に延びる左右ラック板４２と、をそれぞれ有している。左右カーソル板４１は、用紙収容部１１の底面に対して垂直に設けられる規制部４１ａと、規制部４１ａの下端縁から互いに対向する方向に延設される水平な基部４１ｂと、を有している。左右ラック板４２は、各基部４１ｂから互いに対向する方向に延びるとともに、搬送方向においてややずれた位置に形成されている。左右ラック板４２には、搬送方向において対向する端縁にそれぞれラック歯４２ａが形成されている。
【００３８】
左右一対のカーソル１４の左右ラック板４２は、本体部２１の底板２１ａに形成されたガイド凹部にそれぞれスライド可能に支持されている。左右ラック板４２に形成されたラック歯４２ａは、本体部２１の底板２１ａ上に支持されるピニオン（図示省略）と噛み合っている。これにより、一方のカーソル板を幅方向の一方向に所定の距離だけスライドさせると、他方のカーソル板は、反対の方向に等距離だけスライドする。左右一対のサイドカーソル１４をスライドさせて左右カーソル板４１を用紙の左右側縁に当接させることで、幅方向における用紙の位置を整合する。
【００３９】
左右カーソル板４１の上面には、搬送方向における中央部と後端部とに、それぞれ中央貫通孔４３と後端貫通孔４４が開けられている。中央貫通孔４３と後端貫通孔４４には、図８にも示されるように、カーソル側係合部としての第１固定ピン４５と第２固定ピン４６がそれぞれ支持されている。第１固定ピン４５と第２固定ピン４６は、それぞれ円筒状で、上端面は凸状に湾曲している。また、中央貫通孔４３と後端貫通孔４４よりも下方の第１固定ピン４５と第２固定ピン４６の下端部には、径方向に張り出すリブ４５ａ（４６ａ）が形成されている。第１固定ピン４５と第２固定ピン４６とは、それぞれ中央貫通孔４３と後端貫通孔４４の下方で支持板に設けられた付勢部材としてのコイルばね４７（４８）によって、中央貫通孔４３と後端貫通孔４４の周囲にリブ４５ａ、４６ａが係止されるまで上方に付勢されている。
【００４０】
上記構成を有する給紙カセット３に用紙Ｓを収容する手順について、図９〜図１２を参照して説明する。図９は規定サイズの用紙を収容する場合の給紙カセットを示す側面断面図、図１０は規定サイズよりも搬送方向長さが長い用紙を収容する場合の給紙カセットを示す側面断面図である。図１１と図１２はカセットカバーとサイドカーソルとの係合を示す図であり、図１１は規定サイズの用紙の場合を示し、図１２は規定サイズ外の用紙の場合を示す。
【００４１】
Ａ４横、Ｂ５横、Ａ４縦のいずれかの規定サイズの用紙Ｓを収容する場合は、図９に示されるように、用紙収容部１１を収縮状態に伸縮させる。そして、カセットカバー３１を回動して用紙収容部１１の開口１１ａを開放し、昇降板１２上に用紙を載置する。その後、エンドカーソル１３（図４参照、図９、図１０には図示省略）を、用紙Ｓの後端縁に当接するまでスライドさせて、用紙Ｓの搬送方向における位置を整合する。さらに、一対の左右一対のサイドカーソル１４の左右カーソル板４１を用紙Ｓの左右側端縁に当接するまでスライドさせて、用紙Ｓの幅方向における位置を整合する。
【００４２】
そして、カセットカバー３１を回動して、用紙収容部１１の開口１１ａの後端部を閉止する。すると、図１１にも示されるように、右側のサイドカーソル１４の右カーソル板４１に設けられた第１固定ピン４５と第２固定ピン４６が、カセットカバー３１の天板３１ａに形成された溝部３３のうちの、収容された用紙のサイズに対応する溝部３３に入り込む。これにより、右カーソル板４１とカセットカバー３１とが係合して、右側のサイドカーソル１４の幅方向への移動が規制される。なお、右側のサイドカーソル１４の移動が規制されることで、ピニオンを介して連結している左側のサイドカーソル１４の移動も規制される。このように用紙Ｓが収容された後、給紙カセット３を装置本体に装着する。
【００４３】
Ａ４横、Ｂ５横、Ａ４縦のいずれかの規定サイズの幅であって、規定サイズよりも搬送方向における長さが長い長尺用紙Ｓを収容する場合には、図１０に示されるように、可動部２２を本体部２１に対して引き出して用紙収容部１１を伸長状態に伸縮させる。そして、カセットカバー３１を回動して用紙収容部１１の開口１１ａを開放し、昇降板１２上に用紙を載置する。その後、エンドカーソル１３を用紙Ｓの後端縁に当接するまでスライドさせて、用紙Ｓの搬送方向における位置を整合する。さらに、左右一対のサイドカーソル１４を用紙Ｓの左右側端縁に当接するまでスライドさせて、用紙Ｓの幅方向における位置を整合する。
【００４４】
そして、カセットカバー３１を回動すると、カセットカバー３１は、引き出された可動部２２の開口１１ａを閉止する。すると、右側のサイドカーソル１４の右カーソル板４１に設けられた第２固定ピン４６が、カセットカバー３１の天板３１ａに形成された溝部３３のうちの、収容された用紙のサイズに対応する溝部３３に入り込む。これにより、右側のサイドカーソル１４がカセットカバー３１に係合して、右側のサイドカーソル１４の幅方向への移動が規制される。
【００４５】
前述の規定サイズの幅以外の幅の用紙を収容する場合は、用紙収容部１１の昇降板１２に用紙Ｓを載置し、エンドカーソル１３と左右一対のサイドカーソル１４とによってそれぞれ搬送方向と幅方向の位置を整合した後、カセットカバー３１を回動して可動部２２の開口を閉止する。すると、図１２に示されるように、右カーソル板４１に設けられた第１固定ピン４５と第２固定ピン４６は、カセットカバー３１の天板３１ａで押し込まれて、それぞれコイルばね４７、４８の付勢力に抗して中央貫通孔４３、後端貫通孔４４内に後退する。この場合、前述のように第１固定ピン４５と第２固定ピン４６は溝部３３に入り込んではいないが、コイルばね４７、４８によって天板３１ａに対して圧接されているので、一定の荷重に対しては、右側のサイドカーソル１４の移動を規制することができる。
【００４６】
上記説明したように本発明の給紙カセット３においては、カセットカバー３１と右側のサイドカーソル１４とが係合することで、左右一対のサイドカーソル１４の幅方向への移動を規制することができる。したがって、荷重がかかった際にも、左右一対のサイドカーソル１４は所定の位置に支持され、用紙の位置ずれによる画像不良等を防止できる。
【００４７】
さらに、カセットカバー３１を回動させて用紙収容部１１の開口１１ａを閉止する操作によって、左右一対のサイドカーソル１４にカセットカバー３１が自動的に係合するので、作業性を向上できる。
【００４８】
また、第１固定ピン４５と第２固定ピン４６とを搬送方向において間隔を開けて配置したので、長尺の用紙に対応させるために用紙収容部１１を伸長状態に伸縮させた場合でも、カセットカバー３１が第２固定ピン４６に係合するようになっている。したがって、長尺の用紙を収容した場合でも、左右一対のサイドカーソル１４の位置ずれを防止できる。なお、溝部３３と係合する固定ピンは２本以上設けても良い。あるいは、搬送方向の後端部側に設けられる第２固定ピン４６のみでも良い。
【００４９】
また、第１固定ピン４５及び第２固定ピン４６と係合する溝部３３を、複数の規定サイズ（例えば、Ａ４横、Ｂ５横、Ａ４縦）の用紙の側端縁に対応するように形成したので、使用頻度の高い用紙に対応することができる。なお、溝部３３の数は３つに限らない。
【００５０】
また、第１固定ピン４５と第２固定ピン４６は、それぞれコイルばね４７、４８で付勢されて溝部３３に係合するようになっている。したがって、前述の規定サイズの幅以外の用紙が収容されて、左右一対のサイドカーソル１４を該用紙の側端縁に当接するようにスライドさせた場合、第１固定ピン４５と第２固定ピン４６は、溝部３３には係合しないが、カセットカバー３１の天板３１ａで押し下げられて付勢力に抗して中央貫通孔４３と後端貫通孔４４内をそれぞれ下方に後退する。したがって、規定サイズの幅以外の用紙も収容可能となっている。
【００５１】
次に、図１３を参照して、溝部３３の変形例について説明する。この例では、溝部３３の幅方向両側面３３ａが、奥側から手前側に向かって互いに離間するように傾斜している。このように幅方向両側面３３ａを傾斜させることで、サイドカーソル１４が多少傾いている場合や、カセットカバー３１が多少ずれた状態で閉止された場合等、サイドカーソル１４の位置と溝部３３の位置とが幅方向に多少ずれた場合に、第１固定ピン４５や第２固定ピン４６が側面３３ａに案内されて、溝部３３に確実に係合できるようになっている。
【００５２】
上記した本発明の実施形態の説明は、本発明に係る給紙装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５３】
１  プリンター（画像形成装置）
３  給紙カセット
１１  用紙収容部
１１ａ  開口
１４  サイドカーソル
２１  本体部
２２  可動部
３１  カセットカバー
３３  溝部（カセット側係合部）
４１ａ  規制部
４５  第１固定ピン（カーソル側係合部）
４６  第２固定ピン（カーソル側係合部）
４７、４８  コイルばね（付勢部材）
【図１】
2017197325.tif 000003
【図２】
2017197325.tif 000004
【図３】
2017197325.tif 000005
【図４】
2017197325.tif 000006
【図５】
2017197325.tif 000007
【図６】
2017197325.tif 000008
【図７】
2017197325.tif 000009
【図８】
2017197325.tif 000010
【図９】
2017197325.tif 000011
【図１０】
2017197325.tif 000012
【図１１】
2017197325.tif 000013
【図１２】
2017197325.tif 000014
【図１３】
2017197325.tif 000015